(57)【要約】【課題】相対的に小さな空間を占めながらも変速機の入力軸に十分な慣性を提供し、共振によるラトル騷音を顕著に低減させるのはもちろん、設置空間上の問題を解決できるようにした変速機の入力軸ダンパを提供する。【解決手段】本発明は、変速機の入力軸（１）に相対回転可能に装着された慣性体アセンブリー（３）と、前記入力軸（１）の回転力の入力を受けて前記慣性体アセンブリー（３）に増速して出力するように前記入力軸（１）に設置された遊星ギアセット（５）と、を含んで構成されることを特徴とする。【選択図】図１
2013096573.tif 000002
【特許請求の範囲】
【請求項１】
変速機の入力軸（１）に相対回転可能に装着された慣性体アセンブリー（３）と、
前記入力軸（１）の回転力の入力を受けて前記慣性体アセンブリー（３）に増速して出力するように前記入力軸（１）に設置された遊星ギアセット（５）と、
を含んで構成されることを特徴とする変速機の入力軸ダンパ。
【請求項２】
前記遊星ギアセット（５）は、
前記慣性体アセンブリー（３）と一体に連結されて前記入力軸（１）の外側に回転可能に挿入されたサンギア（Ｓ）と、
前記サンギア（Ｓ）の外側に噛合わされた多数の遊星ギアの回転軸を提供して前記入力軸（１）に一体で連結されたキャリア（Ｃ）と、
前記多数の遊星ギアの外側に噛合わされ変速機ケース（７）に対して固定されたリングギア（Ｒ）と、
を含んで構成されることを特徴とする請求項１に記載の変速機の入力軸ダンパ。
【請求項３】
前記慣性体アセンブリー（３）は、
前記サンギア（Ｓ）と一体に連結されて前記入力軸（１）の外周面に回転可能に挿入される中空軸（９）と、
前記中空軸（９）の外周面に回転が拘束された状態で設置されるドライブプレート（１１）と、
前記中空軸（９）の外周面に回転自在な状態で設置される慣性プレート（１３）と、
前記ドライブプレート（１１）と慣性プレート（１３）間の相互の回転方向の流動を緩衝することができるように設置されたダンピングスプリング（１５）と、
前記ドライブプレート（１１）と慣性プレート（１３）の軸方向の連結状態を確保しながら相互の回転変位を制限するように設置されるストッパーピン（１７）と、
を含んで構成されることを特徴とする請求項１に記載の変速機の入力軸ダンパ。
【請求項４】
前記サンギア（Ｓ）と中空軸（９）は、第１ベアリング（１９）を通じて前記入力軸（１）に回転可能に挿入され、
前記慣性プレート（１３）は、第２ベアリング（２１）を通じて前記中空軸（９）の外周面に回転可能に結合されることを特徴とする請求項３に記載の変速機の入力軸ダンパ。
【請求項５】
前記サンギア（Ｓ）と中空軸（９）は、第１ブッシュを通じて前記入力軸（１）に回転可能に挿入され、
前記慣性プレート（１３）は、第２ブッシュを通じて前記中空軸（９）の外周面に回転可能に結合されることを特徴とする請求項３に記載の変速機の入力軸ダンパ。
【発明の詳細な説明】
【技術分野】
【０００１】
本発明は、変速機の入力軸ダンパに係り、より詳しくは、変速機の入力軸に慣性を追加して特定回転数領域での共振を回避し、変速機のラトル騷音を低減させる変速機の入力軸ダンパに関する。
【背景技術】
【０００２】
下記の先行技術文献のように、変速機の入力軸に慣性プレートを含んで構成される入力軸ダンパＩＳＤ（Ｉｎｐｕｔ  Ｓｈａｆｔ  Ｄａｍｐｅｒ）を備えることにより、ＤＭＦ（Ｄｕａｌ  Ｍａｓｓ  Ｆｌｙｗｈｅｅｌ）を使用せずに、変速機のラトル騷音が問題となる特定回転数帯域の共振を効果的に回避することができる。
しかし、上記のようなＩＳＤにより適切な効果を得るためには、大きな慣性と強度を入力軸に付与する必要があるが、通常の方法で大きな慣性と強度を入力軸に付与するとＩＳＤ自体の嵩が相当に大きくなるため、その設置位置や空間の制約が多いという問題点がある。
【先行技術文献】
【特許文献】
【０００３】
【特許文献１】ＫＲ１０−２００７−００３９８１９  Ａ
【特許文献２】ＫＲ１０−２００９−００４９２９５  Ａ
【特許文献３】特開２０００−０３９０４８号公報
【発明の概要】
【発明が解決しようとする課題】
【０００４】
本発明は、上記問題点を解決するためになされたものであって、相対的に小さな空間を占めながらも変速機の入力軸に十分な慣性を提供し、共振によるラトル騷音を顕著に低減させるのはもちろん、設置空間上の問題を解決できるようにした変速機の入力軸ダンパを提供することにその目的がある。
【課題を解決するための手段】
【０００５】
本発明は、変速機の入力軸（１）に相対回転可能に装着された慣性体アセンブリー（３）と、前記入力軸（１）の回転力の入力を受けて前記慣性体アセンブリー（３）に増速して出力するように前記入力軸（１）に設置された遊星ギアセット（５）と、を含んで構成されることを特徴とする。
【０００６】
前記遊星ギアセット（５）は、前記慣性体アセンブリー（３）と一体に連結されて前記入力軸（１）の外側に回転可能に挿入されたサンギア（Ｓ）と、前記サンギア（Ｓ）の外側に噛合わされた多数の遊星ギアの回転軸を提供して前記入力軸（１）に一体で連結されたキャリア（Ｃ）と、前記多数の遊星ギアの外側に噛合わされ変速機ケース（７）に対して固定されたリングギア（Ｒ）と、を含んで構成されることを特徴とする。
【０００７】
前記慣性体アセンブリー（３）は、前記サンギア（Ｓ）と一体に連結されて前記入力軸（１）の外周面に回転可能に挿入される中空軸（９）と、前記中空軸（９）の外周面に回転が拘束された状態で設置されるドライブプレート（１１）と、前記中空軸（９）の外周面に回転自在な状態で設置される慣性プレート（１３）と、前記ドライブプレート（１１）と慣性プレート（１３）間の相互の回転方向の流動を緩衝することができるように設置されたダンピングスプリング（１５）と、前記ドライブプレート（１１）と慣性プレート（１３）の軸方向の連結状態を確保しながら相互の回転変位を制限するように設置されるストッパーピン（１７）と、を含んで構成されることを特徴とする。
【０００８】
前記サンギア（Ｓ）と中空軸（９）は、第１ベアリング（１９）を通じて前記入力軸（１）に回転可能に挿入され、前記慣性プレート（１３）は、第２ベアリング（２１）を通じて前記中空軸（９）の外周面に回転可能に結合されたことを特徴とする。
【０００９】
前記サンギア（Ｓ）と中空軸（９）は、第１ブッシュを通じて前記入力軸（１）に回転可能に挿入され、前記慣性プレート（１３）は、第２ブッシュを通じて前記中空軸（９）の外周面に回転可能に結合されることを特徴とする。
【発明の効果】
【００１０】
本発明によれば、相対的に小さな空間で変速機の入力軸に十分な慣性を提供できるようにし、共振によるラトル騷音を顕著に低減できるのはもちろんのこと、入力軸ダンパの設置空間の問題を解決することができる。
【図面の簡単な説明】
【００１１】
【図１】本発明による変速機の入力軸ダンパの構造を説明した図面である。
【図２】図１の遊星ギア装置を側方から観測した状態を図示した図面である。
【発明を実施するための形態】
【００１２】
図１、２に示す通り、本発明の変速機の入力軸ダンパ（ＩＳＤ）の実施例は、変速機の入力軸（１）に相対回転可能に装着された慣性体アセンブリー（３）と、  入力軸（１）の回転力の入力を受け、慣性体アセンブリー（３）に増速して出力するように入力軸（１）に設置された遊星ギアセット（５）を含んで構成される。
【００１３】
すなわち、従来とは異なり入力軸（１）に慣性を付与する慣性体アセンブリー（３）を入力軸（１）と分離して回転可能な状態とし、入力軸（１）の回転力を遊星ギアセット（５）を通じて増速して慣性体アセンブリー（３）に提供することにより、逆に慣性体アセンブリー（３）で遊星ギアセット（５）のギア比に応じて増加したトルクが入力軸（１）に加えられる状況となる。さらに、慣性体アセンブリー（３）と遊星ギアセット（５）が占める嵩に相当する従来の単純な慣性体アセンブリー（３）を入力軸（１）に直接連結した場合に比べて、何倍もの慣性増大効果を得ることができるようにしたものである。
【００１４】
遊星ギアセット（５）は、慣性体アセンブリー（３）と一体に連結され、入力軸（１）の外側に回転可能に挿入されたサンギア（Ｓ）と、  サンギア（Ｓ）の外側に噛合わされる多数の遊星ギア（Ｐ）の回転軸を提供し入力軸（１）に一体に連結されたキャリア（Ｃ）と、  多数の遊星ギア（Ｐ）の外側に噛合わされ変速機ケース（７）に対して固定されたリングギア（Ｒ）を含んで構成される。
【００１５】
慣性体アセンブリー（３）は、サンギア（Ｓ）と一体連結されて入力軸（１）の外周面に回転可能に挿入される中空軸（９）と、  中空軸（９）の外周面に回転が拘束された状態で設置されるドライブプレート（１１）と、  中空軸（９）の外周面に回転自在な状態で設置される慣性プレート（１３）と、  ドライブプレート（１１）と慣性プレート（１３）間の相互の回転方向流動を緩衝することができるように設置されたダンピングスプリング（１５）と、  ドライブプレート（１１）と慣性プレート（１３）の軸方向の連結状態を確保しながら相互の回転変位を制限するように設置されるストッパーピン（１７）を含んで構成される。
【００１６】
サンギア（Ｓ）と中空軸（９）は、第１ベアリング（１９）を通じて入力軸（１）に回転可能に挿入され、慣性プレート（１３）は、第２ベアリング（２１）を通じて中空軸（９）の外周面に回転可能に結合される。
もちろん第１ベアリング（１９）と第２ベアリング（２１）は、それぞれブッシュで代替され、入力軸（１）とサンギア（Ｓ）及び中空軸（９）の間に設置される第１ブッシュと、中空軸（９）と慣性プレート（１３）の間に設置される第２ブッシュで構成することもできる。
【００１７】
慣性体アセンブリー（３）は、従来技術のＩＳＤ（Ｉｎｐｕｔ  Ｓｈａｆｔ  Ｄａｍｐｅｒ）と同一の概念であり、それ自体の回転慣性が変速機の入力軸（１）の慣性を変更させて特定回転数帯域での共振を回避するようにする機能と、前記のようにドライブプレート（１１）と慣性プレート（１３）がダンピングスプリング（１５）を間に置いて回転方向に相互変位を形成することにより、エンジンから入力される回転振動を自体的に吸収して消滅させる機能を兼ねて行うものである。
【００１８】
もちろん、ドライブプレート（１１）と慣性プレート（１３）の間には、相互間の摩擦力の発生によりヒステリシスを形成するようにし、前記回転振動の吸収性能をさらに向上させるように構成することもできる。
前記したように構成された本発明変速機のＩＳＤは、入力軸（１）が、リングギア（Ｒ）が固定された遊星ギアセット（５）のキャリア（Ｃ）と一体に連結されることにより、サンギア（Ｓ）に連結された慣性体アセンブリー（３）から遊星ギアセット（５）のギア比に応じて増大された回転慣性トルクの伝達を受けることと同様の状態になり、結果的に慣性体アセンブリー（３）と遊星ギアセット（５）が占める空間に、単純に従来のような形式で入力軸（１）に固定されるＩＳＤを構成することに比べて、入力軸（１）の回転慣性を最小限３〜４倍以上増大させることができる。
【００１９】
したがって、より狭小な空間にＩＳＤを構成できることにより、パワートレインの設計自由度が向上するのはもちろん、同一条件ではエンジンにＤＭＦ（Ｄｕａｌ  Ｍａｓｓ  Ｆｌｙｗｈｅｅｌ）を装着した水準以上に共振点を低めることができる効果を有する。
【００２０】
以上、本発明に関する好ましい実施形態を説明したが、本発明は前記実施形態に限定されるものではなく、本発明の属する技術分野を逸脱しない範囲での全ての変更が含まれる。
【符号の説明】
【００２１】
１、  入力軸
３、  慣性体アセンブリー
５、  遊星ギアセット
７、  変速機ケース
９、  中空軸
１１、  ドライブプレート
１３、  慣性プレート
１５、  ダンピングスプリング
１７、  ストッパーピン
１９、  第１ベアリング
２１、  第２ベアリング
Ｓ、  サンギア
Ｃ、  キャリア
Ｐ、  遊星ギア
Ｒ、  リングギア
【図１】
2013096573.tif 000003
【図２】
2013096573.tif 000004